(57)【要約】【課題】同軸ケーブルの内部導体と有効に機械的及び電気的に接続する同軸ケーブルのコネクタを提供する。【解決手段】基部、基部側部から上向きに延伸される第一延伸部、基部側部から上向きに延伸され第一延伸部との間に間隔を空けて位置される第二延伸部を有する接続端子と、絶縁本体を有し接続端子の基部を支持する絶縁部材と、絶縁部材の絶縁本体を支持するカバーを含み、第一延伸部と、第二延伸部は絶縁部材及びカバーが折り曲がる力量により各自折り曲げられ、接続端子は同軸ケーブルの内部導体の複数の点を挟持し固定させる。【選択図】図２
0003169596.tif 000002
【実用新案登録請求の範囲】
【請求項１】
同軸ケーブルのコネクタであって、
接続端子と、
前記接続端子の基部を支持する絶縁本体と、前記絶縁本体の側部から上向きに延伸される絶縁折り曲げ部を有する絶縁部材と、
前記絶縁部材の絶縁本体を支持し、前記第一延伸部と、前記第二延伸部はそれ及び絶縁部材が折り曲がる力量により各自折り曲げられ、前記第一延伸部と前記第二延伸部は前記同軸ケーブルの内部導体の複数の点を挟持して固定させ、これにより前記同軸ケーブルの内部導体と接続端子の間に電気的接続を成立させるカバーを含み、
前記接続端子はさらに、
基部と、
前記基部の端縁部から上向きに延伸され、それは参考縁部を有し前記基部の側部に接続され、外縁部は所定の角度で前記参考縁部の側部から上向きに延伸され、傾斜縁部は所定の角度で前記参考縁部の側部から上向きに延伸され、前記外縁部と傾斜縁部を接続させて連続縁部を形成させる第一延伸部と、
前記基部の端縁部から上向きに延伸され、前記第一延伸部とそれは前記基部の両側に間隔を空けて位置され、それは参考縁部を有し前記基部の側部に接続され、外縁部は所定の角度で前記参考縁部の側部から上向きに延伸され、傾斜縁部は所定の角度で前記参考縁部の側部から上向きに延伸され、前記外縁部と傾斜縁部を接続させて連続縁部を形成させ、前記基部、前記第一延伸部及びそれの間には同軸ケーブルの内部導体を収納する空間が定義される第二延伸部からなる接続端子とを含むことを特徴とする同軸ケーブルのコネクタ。
【請求項２】
前記基部は第一延伸部と第二延伸部間に定義される中心線に位置され、前記第一延伸部と第二延伸部が折り曲げられた後、その先端部は前記基部の中心線に突出されることを特徴とする、請求項１に記載の同軸ケーブルのコネクタ。
【請求項３】
前記絶縁折り曲げ部の内壁面は平面部と、前記平面部の両側部に位置される一対の斜面部を有し、前記絶縁折り曲げ部の折り曲げる力量は、前記斜面部に前記第一延伸部と第二延伸部を連動させて、第一延伸部及び第二延伸部と同軸ケーブルの内部導体の間に十分な挟持力を与えることを特徴とする、請求項１に記載の同軸ケーブルのコネクタ。
【考案の詳細な説明】
【技術分野】
【０００１】
本考案は、同軸ケーブルのコネクタに関し、特に、接続端子と同軸ケーブルの内部導体との接続を保証することにより、電気信号を伝達する同軸ケーブルのコネクタに関する。
【背景技術】
【０００２】
多くの同軸ケーブルが、ノートパソコンや家庭用電器のような小型の電子設備といったＩＴ設備の内部の接続回線に使用されており、こうした同軸ケーブルは通常電気を他のケーブルの各々の導体や基板に接続している。
【０００３】
同軸ケーブルは、別のケーブルの導体に電気的に接続するために、従来、同軸ケーブルの内部導体は、１つ１つ他のそれぞれ対応する導体にはんだ付けされていた。これによって、同軸ケーブルの内部導体は、他のケーブルの導体に電気的に接続される。
【０００４】
しかし、こうした電気の接続方法だと、はんだ付けの過程で接続ミスが続出し、また同軸ケーブルの内部導体と他のケーブルの導体との間での電気接続が精確に行えない問題があった。
【０００５】
このほか、はんだ付けの工程が複雑で、この接続工程にある程度時間が掛かり、またロスが大きいために接続工程が失敗するという問題がある。
【０００６】
こうした問題を克服するために、従来から同軸ケーブルのコネクタは、同軸ケーブルの内部導体と他のケーブルの導体との電気接続装置が開示されている。
【０００７】
特許文献１は、同軸ケーブルの内部導体に接続できる接続端子と、絶縁体でこの接続端子を支持するための金属ケースとを含む同軸ケーブルのコネクタが開示されている。接続端子は、ケースと絶縁体とがそれぞれ折り曲げる力によって折り曲げられ、接続端子の１対の接触片を同軸ケーブルの内部導体に固持させて、同軸ケーブルの内部導体と接続端子間とを電気的に接続している。
【先行技術文献】
【特許文献】
【０００８】
【特許文献１】米国特許第６、７９０、０８２号明細書
【考案の概要】
【考案が解決しようとする課題】
【０００９】
同軸ケーブルの内部導体は、１対の接触片の上下で挟持することにより電気的に接続させるが、こうした挟持方法は堅固でない。そのため、接触片および内部導体間の電気接続を長期的に保証できず、これが接触不良現象を引き起こして、信号伝達の質に影響を及ぼす。
本考案の目的は、同軸ケーブルの内部導体と有効に機械的及び電気的に接続する同軸ケーブルのコネクタを提供することにある。
【課題を解決するための手段】
【００１０】
上述した課題を解決し、目的を達成するために、本考案に係る同軸ケーブルのコネクタは、
接続端子と、
前記接続端子の基部を支持する絶縁本体と、前記絶縁本体の側部から上向きに延伸される絶縁折り曲げ部を有する絶縁部材と、
前記絶縁部材の絶縁本体を支持し、前記第一延伸部と、前記第二延伸部はそれ及び絶縁部材が折り曲がる力量により各自折り曲げられ、前記第一延伸部と前記第二延伸部は前記同軸ケーブルの内部導体の複数の点を挟持して固定させ、これにより前記同軸ケーブルの内部導体と接続端子の間に電気的接続を成立させるカバーを含み、
前記接続端子はさらに
基部と、
前記基部の端縁部から上向きに延伸され、それは参考縁部を有し前記基部の側部に接続され、外縁部は所定の角度で前記参考縁部の側部から上向きに延伸され、傾斜縁部は所定の角度で前記参考縁部の側部から上向きに延伸され、前記外縁部と傾斜縁部を接続させて連続縁部を形成させる第一延伸部と、
前記基部の端縁部から上向きに延伸され、前記第一延伸部とそれは前記基部の両側に間隔を空けて位置され、それは参考縁部を有し前記基部の側部に接続され、外縁部は所定の角度で前記参考縁部の側部から上向きに延伸され、傾斜縁部は所定の角度で前記参考縁部の側部から上向きに延伸され、前記外縁部と傾斜縁部を接続させて連続縁部を形成させ、前記基部、前記第一延伸部及びそれの間には同軸ケーブルの内部導体を収納する空間が定義される第二延伸部からなる接続端子とを含むことを特徴とする。
【考案の効果】
【００１１】
本考案の同軸ケーブルのコネクタは、同軸ケーブルの内部導体と有効に機械的及び電気的に接続することができる。
【図面の簡単な説明】
【００１２】
【図１】本考案に係る同軸ケーブルのコネクタの立体図である。
【図２】本考案に係る同軸ケーブルのコネクタの立体分解図である。
【図３】本考案に係る接続端子の俯瞰図である。
【図４】本考案に係る接続端子の右側視図である。
【図５】本考案に係る接続端子が折り曲げられた後の俯瞰図である。
【図６】本考案に係る接続端子が折り曲げられた後の右側視図である。
【図７Ａ】同軸ケーブルの同軸ケーブルのコネクタへの装着手順の概略図である。
【図７Ｂ】同軸ケーブルの同軸ケーブルのコネクタへの装着手順の概略図である。
【図７Ｃ】同軸ケーブルの同軸ケーブルのコネクタへの装着手順の概略図である。
【図７Ｄ】同軸ケーブルの同軸ケーブルのコネクタへの装着手順の概略図である。
【図８】図７Ｄの線８−８で切断した場合の断面図である。
【考案を実施するための形態】
【００１３】
以下に図面を参照して、本考案を実施するための形態について、詳細に説明する。なお、本考案は、以下に説明する実施形態に限定されるものではない。
【００１４】
図１及び図２によると、本考案に係る同軸ケーブルのコネクタ１０は接続端子１１、絶縁部材２０、及び金屬カバー３０を含む。
【００１５】
図３及び図４によると、接続端子１１は同軸ケーブルの内部導体に接続され、接続端子１１は、基部１２と、基部１２の両端縁部からそれぞれ下向きに延伸される一対の接合部材１３と、基部１２の端縁部から上向きに延伸され、それは基部１２の端縁部に接続される参考縁部１４１を有する第一延伸部１４と、所定の角度で参考縁部１４１の側部から上向きに延伸される外縁部１４２と、所定の角度で参考縁部１４１の側部から上向きに延伸され、外縁部１４２とそれが接続される事で連続縁部が形成される傾斜縁部１４３と、基部１２の端縁部から上向きに延伸され第一延伸部１４との間に間隔を空けて基部１２の両側に位置され、それは基部１２の端縁部に接続される参考縁部１５１を有する第二延伸部１５と、所定の角度で参考縁部１５１の側部から上向きに延伸される外縁部１５２と、所定の角度で参考縁部１５１の側部から上向きに延伸され、外縁部１５２とそれは接続されて連続縁部を形成させる傾斜縁部１５３を含む。実質上、第一延伸部１４の傾斜縁部１４３は第二延伸部１５の傾斜縁部１５３に対応される。
【００１６】
図５及び図６によると、第一延伸部１４と第二延伸部１５が、下への圧力を受けると折り曲げられた状態となる。
【００１７】
基部１２、第一延伸部１４及び第二延伸部１５の間には同軸ケーブルの内部導体を収納する空間が定義され、基部１２は第一延伸部１４と第二延伸部１５の間に定義される中心線Ｃに位置され、第一延伸部１４と第二延伸部１５が折り曲げられた後、その先端部１４４と１５４は基部１２の中心線Ｃに突出される。
【００１８】
絶縁部材２０は、接続端子１１とカバー３０との間に配置され、接続端子１１の基部１２を支持するための絶縁本体２１を有する。絶縁折り曲げ部２２は、絶縁本体２１の側部から上向きに延伸され、同軸ケーブルの内部導体４４の方向に向かって折り曲げられ、絶縁折り曲げ部２２の内壁面は平面部２３及び平面部２３の両側部に位置される一対の斜面部２４を有する。
【００１９】
前記カバー３０は、絶縁部材２０の絶縁本体２１を支持するためのカバー本体３１を有する。カバー折り曲げ部３２及び絶縁部材２０の絶縁折り曲げ部２２は並列され、絶縁折り曲げ部２２はカバー折り曲げ部３２が折り曲がる力量により折り曲げられ、第１の接合部３３ａは、カバー折り曲げ部３２の両側部に形成される。
【００２０】
第２の接合部３３ｂ及び第３の接合部３３ｃは、カバー折り曲げ部３２の両側部に形成される。
【００２１】
図７Ａから図７Ｄに示すように、同軸ケーブルのコネクタ１０に同軸ケーブル４０を装着する手順において、同軸ケーブル４０の自由端の一部の外皮部４１が取り除かれると、外部導体４２、絶縁体４３及び内部導体４４が露出される。図７Ａに示すように、第１の手順では、同軸ケーブルのコネクタ１０の接続端子１１の中に同軸ケーブル４０が挿入される。図７Ａに示すように、同軸ケーブル４０の内部導体４４は基部１２、第一延伸部１４及び第二延伸部１５の間に位置され、図７Ｂに示す様になる。
【００２２】
図７Ｄと図８に示すように、“Ａ”型矢印の方向へ力量が加えられるとカバー３０のカバー折り曲げ部３２及び絶縁部材２０の絶縁折り曲げ部２２は同軸ケーブル４０の内部導体４４の方向へ向かって折り曲げられ、折り曲げられる間に、絶縁折り曲げ部２２の斜面部２４は第一延伸部１４と第二延伸部１５を連動させ内部導体４４の方向へ向かって移動(図７Ｃに図示する)させ、また接続端子１１の第一延伸部１４と第二延伸部１５を圧迫し同軸ケーブル４０の内部導体４４の複数の点を挟持させて固定させ、機械的及び電気的に結合させて十分な電気的な接続を確実する。
【００２３】
また、カバー折り曲げ部３２は、第１の接合部３３ａにより、カバー本体３１としっかりと接続される。カバー折り曲げ部３２は、第２の接合部３３ｂで同軸ケーブル４０の外部導体４２を被覆し、第３の接合部３３ｃで同軸ケーブル４０の外皮部４１を被覆する。このように、同軸ケーブルのコネクタ１０は、同軸ケーブル４０の自由端にきつく接合される。
【００２４】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２５】
１０        同軸ケーブルのコネクタ
１１        接続端子
１２        基部
１３        接合部材
１４        第一延伸部
１４１      参考縁部
１４２      外縁部
１４３      傾斜縁部
１４４      先端部
１５        第二延伸部
１５１      参考縁部
１５２      外縁部
１５３      傾斜縁部
１５４      先端部
２０        絶縁部材
２１        絶縁本体
２２        絶縁折り曲げ部
２３        平面部
２４        斜面部
３０        カバー
３１        カバー本体
３２        カバー折り曲げ部
３３ａ      第１の接合部
３３ｂ      第２の接合部
３３ｃ      第３の接合部
４０        同軸ケーブル
４１        外皮部
４２        外部導体
４３        絶縁体
４４        内部導体
【図１】
0003169596.tif 000003
【図２】
0003169596.tif 000004
【図３】
0003169596.tif 000005
【図４】
0003169596.tif 000006
【図５】
0003169596.tif 000007
【図６】
0003169596.tif 000008
【図７Ａ】
0003169596.tif 000009
【図７Ｂ】
0003169596.tif 000010
【図７Ｃ】
0003169596.tif 000011
【図７Ｄ】
0003169596.tif 000012
【図８】
0003169596.tif 000013